(57)【特許請求の範囲】
【請求項１】
電子機器であって、
第１の電源からの電力によって充電される第２の電源と、
前記第２の電源の充電を制御する第１の制御手段と、
前記電子機器における待機電流が検査装置で検査されるようにするための待機電流検査モードへの移行を制御する第２の制御手段と
を有し、
前記待機電流検査モードへの移行が行われた場合、前記第１の制御手段は、前記第２の電源の充電が停止されるようにし、
前記第２の電源の充電が停止された場合において前記第１の電源からの電圧が所定電圧以下である場合、前記第２の制御手段は、前記待機電流検査モードを終了させるための処理を行うことを特徴とする電子機器。
【請求項２】
電子機器であって、
第１の電源からの電力によって充電される第２の電源と、
前記第２の電源の充電を制御する第１の制御手段と、
前記電子機器における待機電流が検査装置で検査されるようにするための待機電流検査モードへの移行を制御する第２の制御手段と
を有し、
前記待機電流検査モードへの移行が行われた場合、前記第１の制御手段は、前記第２の電源の充電が停止されるようにし、
前記待機電流検査モードへの移行が行われた場合において所定時間が経過した場合、前記第２の制御手段は、前記待機電流検査モードを終了させるための処理を行うことを特徴とする電子機器。
【請求項３】
前記待機電流検査モードを終了させるための処理が行われた場合、前記第１の制御手段は、前記第２の電源の充電が開始されるようにすることを特徴とする請求項１に記載の電子機器。
【請求項４】
前記第２の電源からの電圧が所定電圧以下である場合、前記第２の制御手段は、前記待機電流検査モードに移行するための処理を行わないようにすることを特徴とする請求項１から３のいずれか１項に記載の電子機器。
【請求項５】
電子機器であって、
第１の電源からの電力によって充電される第２の電源と、
前記第２の電源の充電を制御する第１の制御手段と、
前記電子機器における待機電流が検査装置で検査されるようにするための待機電流検査モードへの移行を制御する第２の制御手段と
を有し、
前記待機電流検査モードへの移行が行われた場合、前記第１の制御手段は、前記第２の電源の充電が停止されるようにし、
前記待機電流検査モードを終了させるための処理が行われた場合、前記第１の制御手段は、前記第２の電源の充電が開始されるようにすることを特徴とする電子機器。
【請求項６】
前記第２の電源からの電圧が所定電圧以下である場合、前記第２の制御手段は、前記待機電流検査モードに移行するための処理を行わないようにすることを特徴とする請求項５に記載の電子機器。
【請求項７】
電子機器であって、
第１の電源からの電力によって充電される第２の電源と、
前記第２の電源の充電を制御する第１の制御手段と、
前記電子機器における待機電流を検査する待機電流検査手段と、
前記電子機器における待機電流を前記待機電流検査手段に検査させるための待機電流検査モードへの移行を制御する第２の制御手段と
を有し、
前記待機電流検査モードへの移行が行われた場合、前記第１の制御手段は、前記第２の電源の充電が停止されるようにし、
前記電子機器における待機電流が取得された後、前記第１の制御手段は、前記第２の電源の充電が開始されるようにすることを特徴とする電子機器。
【請求項８】
前記第２の電源からの電圧が所定電圧以下である場合、前記第２の制御手段は、前記待機電流検査モードに移行するための処理を行わないようにすることを特徴とする請求項７に記載の電子機器。
【請求項９】
第１の電源からの電力によって充電される第２の電源を有する電子機器を制御するための制御方法であって、
前記電子機器における待機電流が検査装置で検査されるようにするための待機電流検査モードへの移行を制御するステップと、
前記待機電流検査モードへの移行が行われた場合に、前記第２の電源の充電が停止されるようにするステップと、
前記第２の電源の充電が停止された場合において前記第１の電源からの電圧が所定電圧以下である場合に、前記待機電流検査モードを終了させるための処理を行うステップと
を有することを特徴とする制御方法。
【請求項１０】
第１の電源からの電力によって充電される第２の電源を有する電子機器を制御するための制御方法であって、
前記電子機器における待機電流が検査装置で検査されるようにするための待機電流検査モードへの移行を制御するステップと、
前記待機電流検査モードへの移行が行われた場合に、前記第２の電源の充電が停止されるようにするステップと、
前記待機電流検査モードへの移行が行われた場合において所定時間が経過した場合に、前記待機電流検査モードを終了させるための処理を行うステップと
を有することを特徴とする制御方法。
【請求項１１】
前記待機電流検査モードを終了させるための処理が行われた場合に、前記第２の電源の充電が開始されるようにするステップを有することを特徴とする請求項９に記載の制御方法。
【請求項１２】
前記第２の電源からの電圧が所定電圧以下である場合に、前記待機電流検査モードに移行するための処理を行わないようにするステップを有することを特徴とする請求項９から１１のいずれか１項に記載の制御方法。
【請求項１３】
第１の電源からの電力によって充電される第２の電源を有する電子機器を制御するための制御方法であって、
前記電子機器における待機電流が検査装置で検査されるようにするための待機電流検査モードへの移行を制御するステップと、
前記待機電流検査モードへの移行が行われた場合に、前記第２の電源の充電が停止されるようにするステップと、
前記待機電流検査モードを終了させるための処理が行われた場合に、前記第２の電源の充電が開始されるようにするステップと
を有することを特徴とする制御方法。
【請求項１４】
前記第２の電源からの電圧が所定電圧以下である場合に、前記待機電流検査モードに移行するための処理を行わないようにするステップを有することを特徴とする請求項１３に記載の制御方法。
【請求項１５】
第１の電源からの電力によって充電される第２の電源と、電子機器における待機電流を検査する待機電流検査手段とを有する前記電子機器を制御するための制御方法であって、
前記電子機器における待機電流を前記待機電流検査手段に検査させるための待機電流検査モードへの移行を制御するステップと、
前記待機電流検査モードへの移行が行われた場合に、前記第２の電源の充電が停止されるようにするステップと、
前記電子機器における待機電流が取得された後、前記第２の電源の充電が開始されるようにするステップと
を有することを特徴とする制御方法。
【請求項１６】
前記第２の電源からの電圧が所定電圧以下である場合に、前記待機電流検査モードに移行するための処理を行わないようにするステップを有することを特徴とする請求項１５に記載の制御方法。
【発明の詳細な説明】
【技術分野】
【０００１】
本発明は、充電可能な電源を有する電子機器等に関する。
【背景技術】
【０００２】
生産工場や保守サービス拠点では、電子機器の最終検査工程において、待機電流検査が行われている。ここで、待機電流とは、電子機器のメインスイッチがオフしている状態である待機電力時の消費電流のことである。
【０００３】
近年の省エネルギ化に伴い、この待機電流は低減されている。また、主電源として、１次電池や２次電池を使用する携帯型の電子機器においては、電池を入れた状態で保存されることを考慮し、待機電流としては、数十μA程度である場合が多い。
【０００４】
また、先に述べた携帯型の電子機器では、主電源が取り外されて保管された場合でも、時計や設定状態の保持が行えるように、これら機能を動作させるために主電源から充電可能なコイン型２次電池などの副電源が使用されている（特許文献１参照）。
【特許文献１】特開平８−１２２８８１号公報
【発明の開示】
【発明が解決しようとする課題】
【０００５】
しかしながら、従来の待機電流検査方法では、これら副電源を有する電気機器の場合、本来の待機電流に副電源への充電電流が含まれるので、副電源への充電電流を含めて待機電流検査の規格値を設定し、検査が行われていた。
【０００６】
このため、副電源への充電電流が本来の待機電流検査の規格値より非常に多く、回路異常による漏れ電流が充電電流と同等あるいはそれ以下であった場合、この漏れ電流は充電電流に紛れてしまい、回路異常による漏れ電流を正確に検査できないという問題があった。
【０００７】
そこで、本発明は、待機電流の検査が行われる場合において、充電電流の影響により回路異常による漏れ電流の検出が困難になってしまうことを防止することを目的とする。
【課題を解決するための手段】
【０００８】
本発明に係る電子機器の一つは、電子機器であって、第１の電源からの電力によって充電される第２の電源と、前記第２の電源の充電を制御する第１の制御手段と、前記電子機器における待機電流が検査装置で検査されるようにするための待機電流検査モードへの移行を制御する第２の制御手段とを有し、前記待機電流検査モードへの移行が行われた場合、前記第１の制御手段は、前記第２の電源の充電が停止されるようにし、前記第２の電源の充電が停止された場合において前記第１の電源からの電圧が所定電圧以下である場合、前記第２の制御手段は、前記待機電流検査モードを終了させるための処理を行うことを特徴とする。
本発明に係る電子機器の一つは、電子機器であって、第１の電源からの電力によって充電される第２の電源と、前記第２の電源の充電を制御する第１の制御手段と、前記電子機器における待機電流が検査装置で検査されるようにするための待機電流検査モードへの移行を制御する第２の制御手段とを有し、前記待機電流検査モードへの移行が行われた場合、前記第１の制御手段は、前記第２の電源の充電が停止されるようにし、前記待機電流検査モードへの移行が行われた場合において所定時間が経過した場合、前記第２の制御手段は、前記待機電流検査モードを終了させるための処理を行うことを特徴とする。
本発明に係る電子機器の一つは、電子機器であって、第１の電源からの電力によって充電される第２の電源と、前記第２の電源の充電を制御する第１の制御手段と、前記電子機器における待機電流が検査装置で検査されるようにするための待機電流検査モードへの移行を制御する第２の制御手段とを有し、前記待機電流検査モードへの移行が行われた場合、前記第１の制御手段は、前記第２の電源の充電が停止されるようにし、前記待機電流検査モードを終了させるための処理が行われた場合、前記第１の制御手段は、前記第２の電源の充電が開始されるようにすることを特徴とする。
本発明に係る電子機器の一つは、電子機器であって、第１の電源からの電力によって充電される第２の電源と、前記第２の電源の充電を制御する第１の制御手段と、前記電子機器における待機電流を検査する待機電流検査手段と、前記電子機器における待機電流を前記待機電流検査手段に検査させるための待機電流検査モードへの移行を制御する第２の制御手段とを有し、前記待機電流検査モードへの移行が行われた場合、前記第１の制御手段は、前記第２の電源の充電が停止されるようにし、前記電子機器における待機電流が取得された後、前記第１の制御手段は、前記第２の電源の充電が開始されるようにすることを特徴とする。
【０００９】
本発明に係る制御方法の一つは、第１の電源からの電力によって充電される第２の電源を有する電子機器を制御するための制御方法であって、前記電子機器における待機電流が検査装置で検査されるようにするための待機電流検査モードへの移行を制御するステップと、前記待機電流検査モードへの移行が行われた場合に、前記第２の電源の充電が停止されるようにするステップと、前記第２の電源の充電が停止された場合において前記第１の電源からの電圧が所定電圧以下である場合に、前記待機電流検査モードを終了させるための処理を行うステップとを有することを特徴とする。
本発明に係る制御方法の一つは、第１の電源からの電力によって充電される第２の電源を有する電子機器を制御するための制御方法であって、前記電子機器における待機電流が検査装置で検査されるようにするための待機電流検査モードへの移行を制御するステップと、前記待機電流検査モードへの移行が行われた場合に、前記第２の電源の充電が停止されるようにするステップと、前記待機電流検査モードへの移行が行われた場合において所定時間が経過した場合に、前記待機電流検査モードを終了させるための処理を行うステップとを有することを特徴とする。
本発明に係る制御方法の一つは、第１の電源からの電力によって充電される第２の電源を有する電子機器を制御するための制御方法であって、前記電子機器における待機電流が検査装置で検査されるようにするための待機電流検査モードへの移行を制御するステップと、前記待機電流検査モードへの移行が行われた場合に、前記第２の電源の充電が停止されるようにするステップと、前記待機電流検査モードを終了させるための処理が行われた場合に、前記第２の電源の充電が開始されるようにするステップとを有することを特徴とする。
本発明に係る制御方法の一つは、第１の電源からの電力によって充電される第２の電源と、電子機器における待機電流を検査する待機電流検査手段とを有する前記電子機器を制御するための制御方法であって、前記電子機器における待機電流を前記待機電流検査手段に検査させるための待機電流検査モードへの移行を制御するステップと、前記待機電流検査モードへの移行が行われた場合に、前記第２の電源の充電が停止されるようにするステップと、前記電子機器における待機電流が取得された後、前記第２の電源の充電が開始されるようにするステップとを有することを特徴とする。
【発明の効果】
【００１１】
本発明によれば、待機電流の検査が行われる場合において、充電電流の影響により回路異常による漏れ電流の検出が困難になってしまうことを防止することができる。
【発明を実施するための最良の形態】
【００１２】
本発明の電子機器および待機電流検査システムの実施の形態について図面を参照しながら説明する。本実施形態の電子機器は携帯型の電子機器に適用される。
【００１３】
［第１の実施形態］
図１は第１の実施形態における待機電流検査システムの構成を示すブロック図である。この待機電流検査システムは、電子機器１および検査装置３１から構成される。電子機器１は、主電源１１、主電源回路ブロック１８、副電源１０、充電制御部４、情報保持部５、時計計測部６等を有する。主電源回路ブロック１８には、電子機器制御部２、電圧監視部７、通信部１６、キー入力部１７および表示部１２が設けられている。
【００１４】
電子機器制御部２は、電子機器１全体を制御するためのプログラムに従って、電子機器１の動作状態に応じた、待機状態や通常動作状態の回路制御を行うマイコンで構成される。一般的に、この制御プログラムは、電子機器制御部２に内蔵されているか、あるいは外付けのマスクＲＯＭ、フラッシュメモリなどに格納されている。
【００１５】
また、電子機器制御部２は、バス８を経由し、充電制御部４、情報保持部５、時計計測部６および表示部１２に対し、設定情報や制御命令に関するデータの書込みや読み出しを行う。
【００１６】
待機電流検査プログラム３は、電子機器制御部２に格納された制御プログラムのうち、待機電流検査処理に関するプログラムを示し、このプログラムを実行することによって、待機電流検査処理が実現される。この待機電流検査処理の詳細については、後述するフローチャートを用いて説明する。概略的な動作として、電子機器制御部２は、これと接続される通信部１６が待機電流検査プログラム３を実行する通信コマンドを受信することや、キー入力部１７から特定のキー操作を受け付けることによって、待機電流検査プログラム３を実行する。
【００１７】
充電制御部４は副電源１０への充電開始や充電停止を制御する。すなわち、充電制御部４は、バス８を経由した電子機器制御部２の指示に従い、そのレジスタに設定された状態に応じて、副電源１０と主電源１１との電源接続経路を、短絡（充電開始）あるいは開放（充電停止）する。なお、充電制御部４は請求項に記載の充電制御手段に相当する。
【００１８】
また、充電制御部４により副電源１０へ充電停止が行われた場合、充電電流は消費されないので、待機電流検査モード時、精度の高い待機電流検査が可能となる。
【００１９】
情報保持部５は、副電源１０に主電源１１による給電が遮断された場合でも、電子機器１に関する各種設定情報などを保持するための格納メモリである。また、この情報保持部５には、副電源１０により常時電源が供給されている。
【００２０】
時計計測部６は、年月日や時刻を計測するリアルタイムクロック機能、およびタイマカウンタ機能を備え、そのレジスタに設定されたタイマ時間経過後、電子機器制御部２に通知することも可能である。時計計測部６には、副電源１０により常時電源が供給されている。
【００２１】
電圧監視部（電圧検出手段）７は、主電源１１の電圧を監視しており、この電圧が所定電圧以下か否かを判定し、この判定結果に応じて、電子機器制御部２にリセット処理を行う。本実施形態においては、充電制御部４、情報保持部５および時計計測部６は、電子機器制御部２とバス８を経由して接続されているが、電子機器制御部２の汎用入出力ポートや通信ポートにより接続されてもよい。
【００２２】
副電源１０は、コイン型２次電池やスーパーキャパシタンスなどの充電可能な電源である。制限抵抗９は副電源１０への充電電流を抑制する抵抗である。主電源１１により副電源１０に電源が供給されている場合、副電源１０の電圧が所定の充電電圧になるまで、充電電流Ｉｃで充電が行われる。この充電電流Ｉｃは、主電源回路ブロック１８の待機状態で流れる電流Ｉｓや、回路異常による漏れ電流Ｉｌに対して十分に大きな電流である。
【００２３】
主電源１１は、電子機器１の回路全体へ電源を供給する電源供給部である。主電源１１として、ＤＣ電源、単三型電池などに代表される一次電池、リチウムイオン電池などに代表される二次電池などが使用可能である。また、主電源１１に対し、検査装置３１の検査電源３５から電源を供給することも可能である。
【００２４】
表示部１２は、セグメントＬＣＤ方式やドットマトリクスＴＦＴ方式に代表される薄型液晶パネル、その表示回路、およびＴＶ機器などに表示するためのビデオ信号出力回路を有する。表示部１２は、電子機器１における通常使用時のメニューや、その他の映像信号の表示を行うだけでなく、待機電流検査モードにおいて、副電源１０の異常時の警告表示や、検査結果の表示を行うことも可能である。
【００２５】
検査時間設定部１３は、待機電流検査モードの移行時、電子機器制御部２の揮発性メモリ１９に予約されるメモリ領域に対し、あらかじめ設定された初期値を設定し、また、通信部１６やキー入力部１７により任意の時間を設定する。
【００２６】
通信部１６は、有線シリアル通信、ＬＡＮあるいは赤外線による無線通信で、電子機器１と検査装置３１を接続することにより、データ転送可能な通信回路である。また、通信部１６は、待機電流検査モードの移行に関する通信データの送受信だけでなく、電子機器１の一般動作における各種の通信データの送受信も行う。
【００２７】
キー入力部１７は、前述したように、主電源回路ブロック１８に設けられ、押しボタン入力、方向キー入力、アナログキー入力、タッチパネル入力、静電容量検出入力、非接触型入力など、種々の操作におけるキー入力可能な回路である。また、キー入力部１７には、電子機器１の一般動作における各種キー操作、例えばメインスイッチＯＮ／ＯＦＦ、選択スイッチ、方向キー入力、設定スイッチ、キャンセルスイッチ、機能スイッチ、メニュースイッチなども割り当てられる。また、キー入力部１７において、待機電流検査モードの移行に関する特定のキーの操作が、電子機器制御部２によって認識されると、待機電流検査処理プログラムが起動する。
【００２８】
主電源回路ブロック１８には、主電源１１から電源が供給される回路が総じて含まれており、電流Ｉｓの電源が主電源回路ブロック１８に供給される。電子機器１の動作状態に応じて、主電源回路ブロック１８内の各部の動作電流も異なっており、想定される電流Ｉｓの電流値は、数十ｕＡ〜数百ｍＡと広範囲である。
【００２９】
電子機器制御部２は、待機状態において、動作周波数を低速に切り替えるなどの省電力動作を行うとともに、動作不要な回路部の動作を停止させて回路電源を切ることで、省電力化を図っている。
【００３０】
揮発性メモリ１９は、電子機器制御部２に内蔵されたＲＡＭ等のメモリであり、電子機器１のプログラムワーク領域、変数領域、スタック領域などに割り当てられる。また、後述する待機電流検査モードの状態を示す待機電流検査フラグも揮発性メモリ１９に確保される。揮発性メモリ１９は、主電源１１からの電源供給が停止されると、内容を保持することができないので、起動時に初期化を行う必要がある。
【００３１】
通信端子部２０は、電子機器１の通信部１６が検査装置３１の通信部３６と通信を行うための端子部である。この通信端子部２０は、検査装置３１との通信だけでなく、電子機器１の一般的な動作における通信の端子として兼用される。
【００３２】
一方、検査装置３１は、電子機器１の待機電流検査を行うものである。検査装置３１は、検査制御部３２、電流計測部３３、検査電源３５、通信部３６および表示部３４を有する。検査制御部３２は、検査装置３１全体を制御するためのプログラムに従って、回路制御を行うマイコンで構成される。一般的に、この制御プログラムは、検査制御部３２に内蔵あるいは外付けのマスクＲＯＭや、フラッシュメモリなどに格納されている。
【００３３】
また、検査制御部３２は、電流計測部（電流計）３３、検査電源３５、通信部３６および表示部３４に対し、設定情報や制御命令に関するデータの書込みおよび読み出しを行う。電流計３３は、検査電源３５から電子機器１への電流を計測する。検査制御部３２は、電流計３３で測定された電流値を読み取る。
【００３４】
表示部３４は、セグメントＬＣＤ方式やドットマトリクスＴＦＴ方式に代表される薄型液晶パネル、およびその表示回路からなる。表示部３４は、電流計３３の計測結果から、検査制御部３２で検査した結果を表示する。検査電源３５は、電子機器１の主電源１１に供給される検査用電源である。この検査用電源は、定電圧源により供給され、回路異常による過電流時、電子機器１の故障を防ぐために、出力が停止する機能を有する。通信部３６は、電子機器１の通信端子部２０を介して、通信部１６と通信するための通信回路を有しており、検査情報の送受信が可能である。
【００３５】
なお、図１には、電子機器１に発生した、予期せぬ回路異常を示す回路異常部９９が示されている。例えば、回路異常として、ハンダ不良による隣接ピンのショート、静電気、あるいは基板実装時の温度ストレスによるＩＣ動作異常などが考えられる。回路異常部９９を有する電子機器１では、本来起こり得ない電流Ｉｌのルートが発生することになる。
【００３６】
上記構成を有する待機電流検査システムの動作を示す。図２は電子機器１の起動処理手順を示すフローチャートである。この処理プログラムは、電子機器制御部２内の記憶媒体（図示せず）に格納されており、電子機器制御部２内のＣＰＵによって実行される。起動時、使用者によって電子機器１の主電源１１が投入されると、電子機器制御部２は起動処理を開始する。
【００３７】
まず、電子機器制御部２は、起動直後、所定の初期設定を行う（ステップＳ１）。初期設定終了後、電子機器制御部２は、動作不要な回路部の動作を停止させ、動作周波数を低速化させることで、電子機器１を省電力待機状態に移行させる（ステップＳ２）。
【００３８】
そして、電子機器制御部２は、キー入力部１７のキー入力状態もしくは通信部１６の受信状態を取得する（ステップＳ３）。取得した結果、電子機器制御部２は、待機電流検査プログラム３を実行するための所定のキー操作があったか否か、待機電流検査プログラム３を実行するための通信コマンドを受信したか否かを判別する（ステップＳ４）。
【００３９】
待機電流検査プログラム３を実行するための所定のキー操作があった場合、もしくは待機電流検査プログラム３を実行するための通信コマンドを受信した場合、電子機器制御部２は、待機電流検査プログラム３を実行する（ステップＳ５）。この待機電流検査処理の詳細については後述する。この後、ステップＳ２の処理に戻る。
【００４０】
一方、ステップＳ４で待機電流検査モードに移行させるための所定のキー操作でなかった場合、電子機器制御部２は、メインスイッチの操作状態を判別する（ステップＳ６）。メインスイッチがＯＮである場合、電子機器制御部２は、電子機器１のメイン処理を行う（ステップＳ７）。この電子機器１のメイン処理の詳細については後述する。この後、電子機器制御部２は本処理を終了する。一方、メインスイッチがＯＦＦである場合、電子機器制御部２は、再びステップＳ３の処理に戻り、キー入力状態の再取得を行う。
【００４１】
このように、電子機器１は、起動直後、待機状態のまま、キー入力部１７のキー状態を監視し続け、メインスイッチＯＮあるいは待機電流検査モード移行のいずれかの状態変化を待つことになる。
【００４２】
図３はステップＳ７における電子機器１のメイン処理手順を示すフローチャートである。電子機器制御部２は、まず、待機電流検査フラグの内容を確認する（ステップＳ１１）。待機電流検査フラグが設定されている場合、電子機器制御部２はそのままステップＳ１３の処理に進む。一方、待機電流検査フラグが設定されておらず、解除されている場合、電子機器制御部２は、充電制御部４に対し、副電源１０への充電の開始（または再開）を指示する（ステップＳ１２）。
【００４３】
電子機器制御部２は、通信部１６の初期設定を行い、通信部１６を検査装置３１や外部装置（図示せず）から通信可能な状態に設定する（ステップＳ１３）。電子機器制御部２は、表示部１２の電源を投入し、所定の表示に関する設定を行う（ステップＳ１４）。
【００４４】
さらに、電子機器制御部２は、電子機器１の機能に係わる回路を動作させるための各種設定を行い、電子機器１を通常動作可能にする（ステップＳ１５）。例えば、電子機器１が音楽再生機器であった場合、電子機器１の機能に係わる回路は、音楽再生におけるストリームデータから音信号に変換する回路や、ヘッドフォンへの出力回路などである。また、電子機器１が電子撮像機器であった場合、電子機器１の機能に係わる回路は、レンズ駆動回路、シャッタ回路、測光／測距回路、ＣＣＤやＣＭＯＳからなる撮像素子、アナログ−デジタル変換回路、画像処理回路などである。
【００４５】
電子機器制御部２は、キー入力部１７のキー入力状態を取得する（ステップＳ１６）。キー入力操作があった場合、電子機器制御部２は、そのキー入力操作に応じて、電子機器１の各機能に関する処理を行う（ステップＳ１７）。この処理を実行した後、電子機器制御部２は、再度、ステップＳ１６の処理に戻り、キー入力状態を取得する。
【００４６】
ステップＳ１６でキー入力状態を取得した結果、キー入力操作の更新がない場合、電子機器制御部２は、メインスイッチの状態を確認する（ステップＳ１８）。メインスイッチがＯＦＦになった場合、電子機器制御部２は、待機電流検査フラグを確認する（ステップＳ１９）。
【００４７】
待機電流検査フラグが設定されている場合、ステップＳ５と同様、待機電流検査プログラム３を実行する（ステップＳ２０）。この待機電流検査処理の詳細については後述する。この後、電子機器制御部２はステップＳ１１の処理に戻る。また、ステップＳ１９で待機電流検査フラグが設定されていない場合、電子機器制御部２は、通常の待機状態に移行するため、図２のステップＳ２の待機処理に戻る。
【００４８】
一方、ステップＳ１８でメインスイッチがＯＮのままである場合、電子機器制御部２は、通信部１６の受信バッファにおける、検査装置３１やその他の外部装置からの通信コマンドの有無を確認する（ステップＳ２１）。通信コマンドの受信がない場合、電子機器制御部２は、ステップＳ１６の処理に戻り、再度、キー入力操作の更新を確認する。
【００４９】
一方、通信コマンドの受信があった場合、電子機器制御部２は、受信した通信コマンドを解析する（ステップＳ２２）。電子機器制御部２は、解析の結果、通信コマンドが待機電流検査プログラム３の実行に関するコマンドであるか否かを判別する（ステップＳ２３）。通信コマンドが待機電流検査プログラム３の実行に関するコマンドであった場合、電子機器制御部２は、ステップＳ２０で待機電流検査プログラム３を実行する。
【００５０】
一方、ステップＳ２３で、受信した通信コマンドが通常動作に関する各種コマンドであった場合、電子機器制御部２はそのコマンドに応じた処理を実行する（ステップＳ２４）。この後、電子機器制御部２はステップＳ１６の処理に戻る。
【００５１】
このように、電子機器１は、通常動作状態で充電電流の影響が少ないため、待機状態から通常動作状態に切り替わる際、副電源１０への充電を再開し、副電源１０の電圧低下を軽減する。また、通信により待機電流検査モードに移行することが可能であるので、検査工程時、他の検査と連動して速やかな待機電流検査が可能となる。なお、待機電流検査モードでは、電子機器１および検査装置３１を用いて、後述するように、待機電流検査が行われる。また、この待機電流検査では、検査装置３１から主電源１１に電源が供給される。なお、検査装置３１から主電源１１に供給される電源の電圧は、起動時、使用者によって投入された電子機器１の主電源１１の電圧より高く設定されている。
【００５２】
図４はステップＳ５、ステップＳ２０における待機電流検査処理を示すフローチャートである。まず、電子機器制御部２は、揮発性メモリ１９の所定の領域に、待機電流検査モードを示す待機電流検査フラグを設定する（ステップＳ３１）。
【００５３】
電子機器制御部２は、充電制御部４に対し、副電源１０への充電を停止させる（ステップＳ３２）。副電源１０への充電停止後、電子機器制御部２は、動作不要な回路部の動作を停止させ、動作周波数を低速化させることで、省電力待機状態に移行させる（ステップＳ３３）。
【００５４】
この省電力待機状態において、電子機器制御部２は、電圧監視部７により、主電源１１の電圧を常時監視している（ステップＳ３４）。すなわち、電圧監視部７により監視される主電源１１の電圧が所定電圧より高い（Ｈｉｇｈ）と判断された場合、電子機器制御部２はステップＳ３４の処理を繰り返し、監視を継続させる。なお、この所定電圧としては、例えば、起動時、使用者によって投入された主電源１１の電圧であってもよい。
【００５５】
一方、監視の結果、主電源１１の電圧が降下し、所定電圧以下である（Ｌｏｗ）と判断された場合、電子機器制御部２は、検査装置３１から主電源１１に電源が供給されなくなったとして、リセット制御を行う（ステップＳ３５）。このリセット制御において、電子機器制御部２は、待機電流検査フラグを解除するとともに、これを含む揮発性メモリ１９を初期化する。この後、電子機器制御部２は、元の処理におけるステップＳ２あるいはＳ１１の処理に復帰する。なお、ステップＳ３５の処理は解除手段に相当する。
【００５６】
図５は待機電流検査を行うときの検査装置３１の動作を示すフローチャートである。検査装置３１の動作プログラムは、検査制御部３２内の記憶媒体（図示せず）に格納されており、検査制御部３２内のＣＰＵによって実行される。検査を開始するために、使用者によって検査電源３５が投入される。まず、検査制御部３２は、電子機器１の主電源１１に電源を供給する（ステップＳ４１）。そして、検査制御部３２は、通信部３６を介して、電子機器１の通信部１６に待機電流検査プログラム３を実行するための命令コマンド（命令）を送信する（ステップＳ４２）。
【００５７】
検査制御部３２は、電子機器１が待機電流検査プログラム３を実行するための十分な時間を待ち、電流計３３により電子機器１の主電源１１に供給される電流値を測定する（ステップＳ４３）。
【００５８】
検査制御部３２は、ステップＳ４３で測定した電流値と検査規格値を比較し、測定した電流値が規格値の範囲内に入るか否かを判定し、判定した結果を、表示部３４に表示して通知する（ステップＳ４４）。つまり、判定の結果、正常である場合、ステップＳ４３の計測では、主電源回路ブロック１８に流れる電流Ｉｓのみが計測される。一方、回路異常部９９が発生している場合、測定した電流値は、電流Ｉｓに漏れ電流Ｉｌが加わったものになる。ここで、待機電流の検査規格値を、漏れ電流Ｉｌが検出可能なように想定された範囲に設定しておくことで、漏れ電流Ｉｌによる異常が判定可能となる。
【００５９】
検査が終了すると、検査制御部３２は、検査電源３５を停止し、電子機器１の主電源１１への電源供給を停止する（ステップＳ４５）。そして、検査制御部３２は本処理を終了する。
【００６０】
第１の実施形態における、電子機器と検査装置を用いた待機電流検査方法では、待機電流検査モードにおいて、電子機器は、充電電流を停止して待機状態に移行し、この間、検査装置は待機電流の検査を行う。これにより、充電電流を含まない正確な待機電流検査が可能となる。
【００６１】
なお、本実施形態では、揮発性メモリ１９に待機電流検査フラグを設定しているが、情報保持部５のようなバックアップ可能なメモリに、待機電流検査フラグを設定してもよい。これにより、主電源１１の電源供給が停止されても、その設定は有効になる。検査工程などで、主電源１１の投入、停止が頻繁に行われる場合、設定情報が保持されるので、待機電流検査モードの設定回数を減少させることが可能である。
【００６２】
また、ステップＳ４における待機電流検査モードに移行させるための所定のキー操作、ステップＳ１９における待機電流検査フラグの設定、あるいはステップＳ２３における待機電流検査の移行に関するコマンドは、請求項に記載の待機電流検査を指示する指示手段に相当する。
【００６３】
［第２の実施形態］
第２の実施形態における電子機器および検査装置の構成は、前記第１の実施形態と同じであるので、その説明を省略する。ここでは、前記第１の実施形態と異なる動作を示す。
【００６４】
図６は第２の実施形態のステップＳ５、Ｓ２０における待機電流検査処理を示すフローチャートである。待機電流検査処理プログラム３は、電子機器制御部２内に格納されており、電子機器制御部２内のＣＰＵによって実行される。
【００６５】
電子機器制御部２は、待機電流検査プログラム３を起動させると、まず、検査時間設定部１３の時間設定値を、時計計測部６内のタイマカウンタ機能のレジスタに設定する（ステップＳ５１）。そして、電子機器制御部２は、充電制御部４に対し、副電源１０への充電を停止させる（ステップＳ５２）。
【００６６】
電子機器制御部２は、副電源１０への充電停止後、動作不要な回路部の動作を停止させ、動作周波数を低速化させることで、省電力待機状態に移行させる（ステップＳ５３）。
【００６７】
この直後、電子機器制御部２は、時計計測部６内のタイマカウンタ機能の動作を開始させる（ステップＳ５４）。タイマカウンタ機能は、１カウントずつカウントダウンを行う。電子機器制御部２は、時計計測部６からの通知によりタイマカウンタが値０以下になるのを待つ（ステップＳ５５）。タイマカウンタが値０以下になると、時計計測部６はタイマカウンタ経過を電子機器制御部２に通知する。なお、ステップＳ５４、ステップＳ５５の処理は時間計測手段に相当する。
【００６８】
電子機器制御部２は、時計計測部６からのタイマカウンタ経過の通知を受けると、充電制御部４に対し、副電源１０への充電を再開させる（ステップＳ５６）。この後、電子機器制御部２は、元の処理におけるステップＳ２あるいはステップＳ１１の処理に復帰することになる。なお、この待機電流検査処理では、待機電流検査フラグは使用されず、初期値として設定されたままである。
【００６９】
このように、第２の実施形態における電子機器は、充電電流を停止し、待機状態に移行後、所定時間内のみ待機電流検査プログラム３を実行する。この間、検査装置により待機電流の検査を行うことが可能となる。従って、待機電流検査フラグの解除忘れを低減できる。また、副電源へ充電停止の状態を最小限に留めることができる。
【００７０】
［第３の実施形態］
図７は第３の実施形態における待機電流検査のための電子機器の構成を示すブロック図である。前記第１の実施形態の電子機器と同一の構成要素については、同一の符号を使用し、その説明を省略する。ここでは、異なる構成および動作について説明する。
【００７１】
電子機器１には、電流モニタ回路１４および電流計測部１５が設けられている。電子機器１の動作状態に応じて負荷電流の範囲が異なるので、電流モニタ回路１４は、負荷に応じて電流モニタ抵抗の値を切り替える回路を有する。
【００７２】
電流モニタ回路１４を用いた電流計測時、電流計測部１５は、電子機器１の動作状態に応じて適切に選択された電流モニタ抵抗の両端電圧を、ＡＤ変換を行って計測し、計測された両端電圧と選択された電流モニタ抵抗値とから電流値を算出する。その結果は揮発性メモリ１９に保存される。
【００７３】
電子機器制御部２は、マイコンで構成されており、電流計測部１５で計測され、揮発性メモリ１９に保存された電流値を、バス８を経由して読み取り、その判断を行う。これにより、電子機器１単体で電流検査が可能となる。
【００７４】
上記構成を有する電子機器１の動作を示す。図８は待機電流検査処理を示すフローチャートである。待機電流検査処理プログラム３は、電子機器制御部２に格納されており、電子機器制御部２内のＣＰＵによって実行される。
【００７５】
電子機器制御部２は、待機電流検査処理プログラム３を起動させると、まず、充電制御部４に対し、副電源１０への充電を停止させる（ステップＳ６１）。副電源１０への充電停止後、電子機器制御部２は、動作不要な回路部の動作を停止させ、動作周波数を低速化させることで、省電力待機状態に移行させる（ステップＳ６２）。
【００７６】
電子機器制御部２は、電流モニタ回路１４の電流モニタ抵抗を、待機電流検査用の抵抗値に切り替え、電流計測部１５により電流モニタ抵抗の両端電圧を測定する。さらに、電子機器制御部２は、測定した電圧値と電流モニタ抵抗とから、待機電流を算出し、揮発性メモリ１９に保存する（ステップＳ６３）。なお、電流モニタ回路１４および電流計測部１５を用いたステップＳ６３の処理は電流計測手段に相当する。
【００７７】
待機電流の取得が完了すると、電子機器制御部２は、充電制御部４に対し、副電源１０への充電を再開させる（ステップＳ６４）。そして、電子機器制御部２は、表示部１２の電源を投入し、表示動作に関する設定を行う（ステップＳ６５）。
【００７８】
電子機器制御部２は、測定した電流値と検査規格値とを比較し、測定した電流値が規格値の範囲内に入るか否かを判定し、その判定結果を表示部１２に表示して通知する（ステップＳ６６）。なお、判定結果を表示部１２に表示するステップＳ６６の処理は表示手段に相当する。
【００７９】
ステップＳ６６の判定において、正常である場合、主電源回路ブロック１８に流れる電流ＩｓのみがステップＳ６３の処理で計測される。一方、回路異常部９９が発生している場合、この電流Ｉｓに漏れ電流Ｉｌが加わった電流が計測されることになる。待機電流規格値の範囲として、漏れ電流Ｉｌが検出可能なように想定された範囲を設定しておくことで、漏れ電流Ｉｌによる異常が判定可能である。
【００８０】
このように、第３の実施形態における電子機器によれば、待機電流検査モードにおいて、自身で電流測定を行うことで、検査装置のような特別な測定回路が不要となり、待機電流の自己診断が可能となる。すなわち、待機電流検査モードに移行し、電子機器内で待機電流計測を行うことで、待機電流の異常を容易に確認可能である。
【００８１】
なお、本発明は、上記実施形態の構成に限られるものではなく、特許請求の範囲で示した機能、または本実施形態の構成が持つ機能が達成できる構成であればどのようなものであっても適用可能である。
【００８２】
例えば、上記各実施形態では、次のような場合、必ず待機電流検査処理が行われていた。即ち、ステップＳ４で待機電流検査モードに移行させるための所定のキー操作があった場合、メインスイッチＯＦＦ時にステップＳ１９で待機電流検査フラグが設定されていた場合、あるいはステップＳ２３で待機電流検査プログラム３の実行に関するコマンドが発行された場合、上記処理が行われた。このような場合であっても、電圧監視部７が副電源の電圧状態を監視できるように構成して、この電圧が閾値以下である場合、待機電流検査プログラム３の実行を禁止して、副電源が低電圧状態にあることを通知し、副電源への充電を行うようしてもよい。これにより、副電源の電圧を早急に回復させることが可能となる。
【００８３】
また、本発明の電子機器は、音楽再生機器や電子撮像機器などの携帯型の電子機器に限らず、据え置き型の種々の電子機器に適用可能である。
【図面の簡単な説明】
【００８４】
【図１】第１の実施形態における待機電流検査システムの構成を示すブロック図である。
【図２】電子機器１の起動処理手順を示すフローチャートである。
【図３】ステップＳ７における電子機器１のメイン処理を示すフローチャートである。
【図４】ステップＳ５、Ｓ２０における待機電流検査処理を示すフローチャートである。
【図５】待機電流検査を行うときの検査装置３１の動作を示すフローチャートである。
【図６】第２の実施形態のステップＳ５、Ｓ２０における待機電流検査処理を示すフローチャートである。
【図７】第３の実施形態における待機電流検査のための電子機器の構成を示すブロック図である。
【図８】待機電流検査処理を示すフローチャートである。
【符号の説明】
【００８５】
１  電子機器
２  電子機器制御部
４  充電制御部
６  時計計測部
１０  副電源
１１  主電源
１４  電流モニタ回路
１５  電流計測部
３１  検査装置
３２  検査制御部
３３  電流計
【図１】
0005264196.tif 000002
【図２】
0005264196.tif 000003
【図３】
0005264196.tif 000004
【図４】
0005264196.tif 000005
【図５】
0005264196.tif 000006
【図６】
0005264196.tif 000007
【図７】
0005264196.tif 000008
【図８】
0005264196.tif 000009